(57)【要約】【課題】カム歯にヒケが発生する場合や、隣り合うカム歯同士の間隔が広い状態となる場合でも、ノック操作における作動不良が発生しない出没式筆記具を提供すること。【解決手段】円周方向に沿って交互に配置された前後方向に延びる複数のカム歯及びカム溝を備える。筆記体の後方に軸筒に対して回転可能に配置され、カム歯またはカム溝に交互に係合可能な少なくとも４つの突条を有する回転部材を備える。回転部材の後方に、軸筒に対して回転不能且つ前後方向に移動可能に配置され、回転部材を回動させる複数のカム突起を有するカム部材を備える。筆記体を後方に付勢する弾発体を備える。カム歯の数は前記突条の数よりも少ない。【選択図】  図４
2020163820.tif 000002
【特許請求の範囲】
【請求項１】
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯の数は前記突条の数よりも少ない、ことを特徴とする出没式筆記具。
【請求項２】
前記突条の数が偶数の場合、前記カム歯の数は前記突条の数未満２つ以上であり、前記突条の数が奇数の場合、前記カム歯の数は前記突条の数未満３つ以上である、請求項１に記載の出没式筆記具。
【請求項３】
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯の前端部に、ペン先を突出状態にする過程で前記突条が通過する第１の斜面と、ペン先を没入状態にする過程で前記突条が通過する第２の斜面と、を備え、
前記第１の斜面と前記第２の斜面のうち、少なくとも前記第１の斜面の数は前記突条の数よりも少ない、ことを特徴とする出没式筆記具。
【請求項４】
前記突条の数が偶数の場合、前記第１の斜面と前記第２の斜面のうち、少なくとも前記第１の斜面の数は前記突条の数未満２つ以上であり、前記突条の数が奇数の場合、前記第１の斜面と前記第２の斜面のうち、少なくとも前記第１の斜面の数は前記突条の数未満３つ以上である、請求項３に記載の出没式筆記具。
【請求項５】
前記ノック部材は前記軸筒の側面に設けられるクリップであり、前記クリップを前記軸筒の前後方向にスライドさせることにより、前記ペン先が前記軸筒から突出した状態又は前記軸筒内に没入した状態となる、請求項２又は４に記載の出没式筆記具。
【請求項６】
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯のうち、回転部材を回転させる機能を有しない非機能部を少なくとも１つ備える、ことを特徴とする出没式筆記具。
【発明の詳細な説明】
【技術分野】
【０００１】
本発明は、筆記体の移動に伴って軸筒の開口からペン先が出没可能な出没式筆記具に関する。
【背景技術】
【０００２】
従来から出没式筆記具が知られている。一般的な出没式筆記具は、軸筒の後端に円柱形状の操作部を備える。出没式筆記具のペン先は、円柱形状の操作部を前方に押し込むことにより、前記軸筒から突出した状態又は前記軸筒内に没入した状態となる。
【０００３】
特許文献１の図８には、後端部内面には前端縁にカム斜面を設けた軸方向のリブと溝を円周方向に交互に設け、後端部外面にはクリップ取付台を設けた、キャップ（本発明の軸筒に相当）が開示されている。当該キャップによれば、出没式筆記具において、ノック操作をすることにより筆記体の先端筆記部を軸先端口より出没させることができる。
【先行技術文献】
【特許文献】
【０００４】
【特許文献１】実公平６−１５７４６
【特許文献２】特開２０１２−６３１５
【発明の概要】
【発明が解決しようとする課題】
【０００５】
特許文献１に開示された出没式筆記具では、キャップ（本発明の軸筒に相当）の後端部内面には前端縁にカム斜面を設けた軸方向のリブ（本発明のカム歯に相当）が設けられ、後端部外面にはクリップ取付台が設けられている。すなわち、クリップ取付台とリブが径方向に略同一位置で重なる箇所が発生する。
【０００６】
その結果、当該箇所における径方向の肉厚が特に厚くなり、軸筒を合成樹脂の成形体により得る場合、当該箇所のリブ（本発明のカム歯に相当）にヒケが発生しやすくなる。ヒケが発生した場合は、当該箇所のリブは適切な形状が得られず、ノック操作における作動不良が発生するおそれがある。
【０００７】
また、他の態様として、特許文献２に開示された出没式筆記具では、軸筒の側壁に前後方向に延びるスライド孔が設けられ、スライド孔の位置と径方向に略一致する位置に設けられたカム溝の幅が他のカム溝の幅よりも広くなっている。（特許文献２の図２０（ｂ）及び図２０（ｃ））
【０００８】
その結果、当該箇所において、隣り合うカム歯とカム歯の間隔が広い状態となり、回転部材が回転した際に、突条がカム歯を確実に乗り越えることができず、ノック操作における作動不良が発生するおそれがある。
【０００９】
本発明は、上記問題点に鑑みてなされたものであり、カム歯の肉厚が特に厚くなりヒケが発生する場合や、隣り合うカム歯とカム歯の間隔が広い状態となる場合でも、ノック操作における作動不良が発生しない出没式筆記具を提供することを目的とする。
【課題を解決するための手段】
【００１０】
（１）上記目的を達成するために、本発明の出没式筆記具は、
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯の数は前記突条の数よりも少ない。
【００１１】
（２）好ましくは、上記（１）の出没式筆記具において、
前記突条の数が偶数の場合、前記カム歯の数は前記突条の数未満２つ以上であり、前記突条の数が奇数の場合、前記カム歯の数は前記突条の数未満３つ以上である。
【００１２】
（３）本発明の出没式筆記具は、
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯の前端部に、ペン先を突出状態にする過程で前記突条が通過する第１の斜面と、ペン先を没入状態にする過程で前記突条が通過する第２の斜面と、を備え、
前記カム歯の前端部に、ペン先を突出状態にする過程で前記突条が通過する第１の斜面と、ペン先を没入状態にする過程で前記突条が通過する第２の斜面と、を備え、
前記第１の斜面と前記第２の斜面のうち、少なくとも前記第１の斜面の数は前記突条の数よりも少ない。
【００１３】
（４）好ましくは、上記（３）の出没式筆記具において、
前記突条の数が偶数の場合、前記第１の斜面と前記第２の斜面のうち、少なくとも前記第１の斜面の数は前記突条の数未満２つ以上であり、前記突条の数が奇数の場合、前記第１の斜面と前記第２の斜面のうち、少なくとも前記第１の斜面の数は前記突条の数未満３つ以上である。
【００１４】
（５）好ましくは、上記（２）又は（４）の出没式筆記具において、
前記ノック部材は前記軸筒の側面に設けられるクリップであり、前記クリップを前記軸筒の前後方向にスライドさせることにより、前記ペン先が前記軸筒から突出した状態又は前記軸筒内に没入した状態となる。
【００１５】
（６）本発明の出没式筆記具は、
筆記体の内部にインキを収容し、前記筆記体の前端に前記インキが吐出可能なペン先を設け、前記筆記体を軸筒内に前後方向に移動可能に収容し、前記軸筒の後部又は前記軸筒の側面にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備えた出没式筆記具であって、
前記出没機構が、前記軸筒内面に形成され、円周方向に沿って交互に配置された前後方向に延びる複数のカム歯及びカム溝と、前記筆記体の後方に前記軸筒に対して回転可能に配置され、前記カム歯または前記カム溝に交互に係合可能な少なくとも４つの突条を有する回転部材と、前記回転部材の後方に、前記軸筒に対して回転不能且つ前後方向に移動可能に配置され、前記回転部材を回動させる複数のカム突起を有するカム部材と、前記筆記体を後方に付勢する弾発体と、を備え、
前記カム歯のうち、回転部材を回転させる機能を有しない非機能部を少なくとも１つ備える。
【００１６】
なお、本発明の出没式筆記具において、「前」は、ペン先の方向、及び「後」はペン先と反対の方向とそれぞれ定義される。また、本発明の出没式筆記具において、「ペン先没入状態」とは、ペン先が軸筒内に没入された状態をいい、「ペン先突出状態」とはペン先が軸筒の前端孔より外部に突出した状態をいう。
【発明の効果】
【００１７】
本発明の出没式筆記具によれば、カム歯の肉厚が特に厚くなりヒケが発生する場合や、隣り合うカム歯とカム歯の間隔が広い状態となる場合でも、ノック操作における作動不良が発生することがない出没式筆記具を提供することが可能となる。
【図面の簡単な説明】
【００１８】
【図１】図１は、本発明の第１実施形態に係る出没式筆記具であって、ペン先が軸筒内に没入した状態の出没式筆記具を示す。図１Ａは側面図、図１Ｂは断面図である。
【図２】図２は、図１の出没式筆記具であって、ペン先が軸筒から突出した状態の出没式筆記具を示す。図２Ａは側面図、図２Ｂは断面図である。
【図３】図３は、第１実施形態に係る出没式筆記具の出没機構を構成する部品の側面図又は断面図である。
【図４】図４は、上記出没式筆記具の軸筒内面に設けられたカム歯及びカム溝の状態を示す。図４Ａは適切なカム歯の形状、図４Ｂは不適切なカム歯の形状、図４Ｃ及び図４Ｄは非機能部を設けたカム歯の形状を示す軸筒の断面図である。
【図５】図５は、図２ＡのＡ−Ａ線断面図である。なお、軸筒２以外の部品は省略してある。
【図６】図６は、本発明の第２実施形態に係る出没式筆記具であって、ペン先が軸筒内に没入した状態の出没式筆記具を示す。図６Ａは側面図、図６Ｂは断面図である。
【図７】図７は、図６の出没式筆記具であって、ペン先が軸筒から突出した状態の出没式筆記具を示す。図７Ａは側面図、図７Ｂは断面図である。
【図８】図８は、第２実施形態に係る出没式筆記具の出没機構を構成する部品の側面図又は断面図である。
【図９】図９は、第２実施形態の軸筒内面に設けられたカム歯及びカム溝の状態を示す。図９Ａは後述するカム溝幅Ａを示した断面図、図９Ｂは後述するカム溝幅Ｂを示した断面図、図９Ｃ及び図８Ｄは非機能部を設けたカム歯の形状を示す断面図である。
【発明を実施するための形態】
【００１９】
以下、図面を参照して本発明の２つの実施の形態について説明する。
【００２０】
１．第１実施形態
以下、本発明の第１実施形態に係る出没式筆記具について、図１〜図５を参照しつつ説明する。なお、以下に説明する実施形態では、出没式筆記具として、一般的なインキを備えた出没式筆記具を例示する。しかし、本発明の構成は、一般的なインキを備えた出没式筆記具に限定されるものではなく、筆跡を摩擦熱によって変色させることが可能な熱変色性インキを備えた出没式の熱変色性筆記具にも適用することが可能である。
【００２１】
１．１  出没式筆記具
本発明の第１実施形態に係る出没式筆記具１の構成は、図１Ａ、図１Ｂ、図２Ａ及び図２Ｂに示される。図中の両矢印により出没式筆記具１の「前」と「後」とが定義される。出没式筆記具１は、軸筒２、回転部材３、ノック部材４、弾発体５、筆記体６を備える。
【００２２】
まず、出没式筆記具１の外部の構成について説明する。図１Ａに示されるように、軸筒２は、口金２１、前軸２２、及び中間軸２３により構成される。前軸２２の外周面には、弾性を有するグリップ２２ａが装着される。出没式筆記具１の外観を構成する部品のうち、口金２１は金属によって形成され、その他の部品は合成樹脂によって形成される。出没式筆記具１全体のデザインにおいて、金属製の口金２１は、合成樹脂製の軸筒２と質感及び外観が顕著に相違し、ユーザーの視線を惹き付ける特徴となる。合成樹脂製の軸筒２の表面、例えば、中間軸２３の表面は、転写フィルムを貼ることによって装飾される。
【００２３】
筆記体６のペン先６１は、出没機構によって、軸筒２から突出した状態又は軸筒２内に没入した状態となる。出没機構は、軸筒２内に収納された弾発体５、回転部材３、ノック部材４、及び軸筒２の壁に設けられたカム歯２３ａ、カム溝２３ｂによって構成される。
次に、出没式筆記具１の内部の構成について説明する。図１Ｂに示されるように、軸筒２内には、前から順番に、弾発体５、筆記体６、回転部材３及びノック部材４が収納される。
【００２４】
１．２  弾発体
図１Ｂに示されるように、弾発体５は、筆記体６の前端部に装着され、常時、筆記体６を後方に付勢する。筆記体６の後方には、回転部材３及びノック部材４が配置される。
【００２５】
１．３  筆記体
筆記体６は、ペン先６１、インキ収容管６２、インキ６３、追従体６４及び尾栓６５を備える。本実施形態のペン先６１は、ホルダーを介して筆記体６の前端に取り付けられる。本実施形態のペン先６１は、ボールペンチップであるが、本発明の構成は、ボールペンに限定されるものではなく、例えば、シャープペンシル、マーキングペンなどの出没式筆記具に広く適用することが可能である。インキ６３及び追従体６４は、インキ収容管６２の内部に充填される。尾栓６５は、インキ収容管６２の後端の開口に装着される。尾栓６５の中心には、前後方向に延びる通気口が設けられる。
【００２６】
１．３．１  ペン先
ペン先６１は、例えば、前端に回転可能にボールを抱持した金属製のボールペンチップのみからなる構成、またはボールペンチップの後部外面を保持した合成樹脂製のペン先ホルダーからなる構成のいずれであってもよい。ペン先６１の内部には、前端のボールを前方に押圧するスプリングが収容される。スプリングは、圧縮コイルスプリングの前端部にロッド部を備えた構成であり、ロッド部の前端がボール後面に接触している。非筆記時、スプリングの前方付勢によりボールがボールペンチップ前端の内向きの前端縁部内面に密接され、ペン先６１の前端からのインキの漏出及びインキの蒸発を防止できる。
【００２７】
１．４  回転部材
図３に示されるように、回転部材３は、４つの突条３１を備える。４つの突条３１は、回転部材３の外面に９０°の間隔をおいて均等に設けられる。突条３１は、回転部材３の側面から上面に連続する。回転部材３の上面から突出する突条３１の後端部は、一方向に傾斜する傾斜面（カム歯）となっている。なお、本発明の回転部材３において、少なくとも４つの突条を有する。
【００２８】
１．５  ノック部材
第１実施形態のノック部材４は、円筒部４３ｄを備え、円筒部４３ｄの前端には、カム突起４３ｅが設けられるカム部材４１である。カム突起４３ｅは、回転部材３の突条３１の後端部と噛み合う。なお、本実施形態におけるカム部材４１はノック部材４と一体の構造となっているが、カム部材４１はノック部材４と別体であっても構わない。また、カム部材４１の後方側面に係合突起４３ｂが設けられる。本実施形態において、係合突起４３ｂは、カム溝２３ｂとカム歯２３ａの円周方向中央部に設けられた溝の中を前後方向に移動するため、軸筒２に対して回転不能且つ前後方向に移動可能に配置される。
【００２９】
カム部材４１は、軸筒２の後側に設けられた開口部より前後方向にスライド可能である。また、カム部材４１の円筒部４３ｄは、軸筒２の内部に位置する。カム部材４１は軸筒２の後部に設けられ、カム部材４１を前方に押圧することによりペン先６１を軸筒２の前端孔２１ａから突出状態にすることが可能である。
【００３０】
１．６  クリップ
本実施形態の出没式筆記具１は、クリップ４２が軸筒２の側面に、軸筒２と一体に形成される。本実施形態のクリップ４２は、図１Ａに示されるクリップ４２本体及び連結部４３ｃからなる。クリップ４２本体の前端には、把持部が一体に設けられる。把持部は、物を把持するための弾性力を生じさせる。
【００３１】
１．７  軸筒
軸筒２の内壁面には、上述したカム歯２３ａ及びカム溝２３ｂが設けられる。また、カム歯２３ａの前端部に、ペン先６１を突出状態にする過程で突条３１が通過する第１の斜面２３ｇと、ペン先６１を没入状態にする過程で突条３１が通過する第２の斜面２３ｈと、を備える。
【００３２】
カム歯２３ａ及びカム溝２３ｂは、交互に回転部材３の突条３１と噛み合う。これにより、筆記体６のペン先６１が、突出した状態又は没入した状態になる。すなわち、出没式筆記具１のユーザーは、ノック部材４であるカム部材４１を軸筒２の軸心方向前方に押し込む。すると、軸筒２内において、回転部材３が、カム部材４１の円筒部４３ｄ（カム突起４３ｅ）に押されて、カム歯２３ａ及びカム溝２３ｂよりも前方に移動する。このとき、回転部材３が一方向に回転し、突条３１がカム歯２３ａ又はカム溝２３ｂのいずれか一方と噛み合う。突条３１がカム歯２３ａと噛み合うことにより、回転部材３が前方に移動したまま保持される。この結果、筆記体６のペン先６１は、軸筒２の前端孔２１ａから突出した状態になる。これとは逆に、突条３１がカム溝２３ｂと噛み合うことにより、回転部材３がカム溝２３ｂに沿って後方へ移動する。この結果、筆記体６のペン先６１は、軸筒２内に没入した状態になる。
【００３３】
前述の通り、本実施形態の出没式筆記具１は、クリップ４２が軸筒２の側面に、且つ軸筒２と一体に形成される。そして、クリップ４２は、図１Ａに示されるクリップ本体及び連結部４３ｃからなる。すなわち、軸筒２の後端部外面には連結部４３ｃが設けられ、その軸筒２の内壁面には、前端縁にカム斜面を設けられカム歯２３ａが設けられる。すると、図５に示すように、連結部４３ｃと、カム歯２３ａの円周方向端部が、径方向に略同一位置で重なる箇所が発生する。
【００３４】
その結果、当該箇所における径方向の肉厚が特に厚くなり、軸筒を合成樹脂の成形体により得る場合、当該箇所のカム歯２３ａにヒケが発生しやすくなる。ヒケが発生した場合は、当該箇所のカム歯２３ａは適切な形状が得られない。即ち、当該箇所のカム歯２３ａは不適切形状部２３ｉとなり、それを原因とするノック操作における作動不良が発生するおそれがある。（図４Ｂ）
【００３５】
そのため、本発明の出没式筆記具は、不適切な形状となり得るカム歯２３ａ自体を一部無くす、つまり、前記カム歯２３ａの数を前記突条３１の数よりも少なくした。
【００３６】
カム歯２３ａ自体を一部無くす、とは、第１の斜面２３ｇのみを無くす（図４Ｃ）場合や、第１の斜面２３ｇと第２の斜面２３ｈをともに含むカム歯全体を無くす場合（図４Ｄ）を指す。また、図示していないが、カム歯２３ａ自体を一部無くす、とは、第１の斜面２３ｇとその後方に延びる部分のみ無くして、隣接する第２の斜面２３ｈとその後方に延びる部分は残す形態でもよい。
【００３７】
１．８  カム歯を一部無くすことの技術的効果
カム歯の肉厚が特に厚くなりヒケが発生する場合でも、前記カム歯２３ａの数を突条３１の数よりも少なくする、即ち不適切な形状となり得るカム歯２３ａ自体を設けなくすることで、ノック操作における作動不良が発生することを防ぐことができる。
【００３８】
また、好ましくは、突条３１の数が偶数の場合、カム歯２３ａの数は突条３１の数未満２つ以上である。突条３１の数が偶数の場合、カム歯２３ａの数は最低２つあれば出没機構が機能する。この場合は、特に、向かい合う２か所のカム歯２３ａが設けられていれば出没機構は機能する。
【００３９】
また、同様に、好ましくは、突条３１の数が奇数の場合、カム歯２３ａの数は突条３１の数未満３つ以上である。突条３１の数が奇数の場合、カム歯２３ａの数は最低３つあれば出没機構が機能する。この場合は、特に、設けられた３つのカム歯２３ａの各々の第１の斜面２３ｇの先端部を結んだ三角形の中に出没式筆記具の軸心位置が含まれていれば、出没機構は機能する。
【００４０】
これにより、クリップの連結部４３ｃ以外にも軸筒２外面に突起等を設けてカム歯２３ａにヒケが発生するおそれがあっても、適切な位置にカム歯２３ａを残した上で、ノック操作における作動不良が発生することを防ぐことができる。例えば、軸筒外面に筆記具の転がり防止突起を設けたり、デザイン上の突起などを設けたりしても、同様の効果が得られる。すなわち、クリップ４２の連結部４３ｃ以外にも軸筒２外面に突起等を設けることができ、見栄えの良いデザインを実現したり製品設計の自由度を高めたりすることができる。
【００４１】
また、これにより、回転部材３がバランスよく安定して回転することができるため、出没機構の作動を安定させることができる。また、カム歯２３ａを無くした部分においては、回転部材３が回転した後に発生するカム歯２３ａと突条３１との当接音がなくなり、出没式筆記具としての作動音を小さくすることができ、周囲の環境に配慮した作動音の小さな筆記具とすることができる。
【００４２】
また、カム歯の肉厚が特に厚くなりヒケが発生する場合でも、前記第１の斜面２３ｇと前記第２の斜面２３ｈのうち、少なくとも前記第１の斜面２３ｇの数を突条３１の数よりも少なくすることで、ノック操作における作動不良が発生をすることを防ぐことができる。
【００４３】
また、好ましくは、突条３１の数が偶数の場合、前記第１の斜面２３ｇと前記第２の斜面２３ｈのうち、少なくとも前記第１の斜面２３ｇの数は突条３１の数未満２つ以上である。この場合は、特に、向かい合う２か所の第１の斜面２３ｇ且つ第２の斜面２３ｈが設けられていれば出没機構は機能する。
【００４４】
また、同様に、好ましくは、突条３１の数が奇数の場合、前記第１の斜面２３ｇと前記第２の斜面２３ｈのうち、少なくとも前記第１の斜面２３ｇの数は突条３１の数未満３つ以上である。この場合は、特に、設けられた３つの第１の斜面２３ｇ且つ第２の斜面２３ｈのうち第１の斜面２３ｇ先端部を結んだ三角形、且つ第２の斜面２３ｈ先端部を結んだ三角形の中に出没式筆記具の軸心位置が含まれていれば、出没機構は機能する。
【００４５】
カム歯の肉厚が特に厚くなりヒケが発生する場合でも、カム歯２３ａのうち、回転部材３を回転させる機能を有しない非機能部２３ｊを少なくとも１つ備える。即ち不適切な形状となり得るカム歯２３ａがそもそも回転部材３を回転させる機能を有していなければ、ノック操作における作動不良が発生することを防ぐことができる。
【００４６】
２．第２実施形態
以下、本発明の第２実施形態に係る出没式筆記具について、図６〜図９を参照しつつ説明する。なお、以下に説明する実施形態では、出没式筆記具として、熱変色性インキを備えた出没式筆記具を例示する。しかし、当然ながら、本発明の構成は、一般的なインキを備えた出没式筆記具にも適用することが可能である。また、これは、第１実施形態の変形例であり、インキの種類以外で第１実施形態と異なる点は、ノック部材４の形態である。それに伴い、軸筒２の形態も異なる。他の構成及び作用効果は第１実施形態と同じであるため、その説明は省略する。
【００４７】
２．１  ノック部材
第２実施形態のノック部材４は、クリップ４２である。クリップ４２は、軸筒２の側面に設けられ、クリップ４２を前方に押圧することにより、ペン先６１を軸筒２の前端孔２１ａから突出状態にすることが可能である。本実施形態の出没機構は、第１実施形態と同様の回転カム機構を用いたサイドスライド式出没機構である。クリップ４２は、軸筒２の側面に設けられたスライド孔２０（第１の長孔２３ｅ及び第２の長孔２４ａ）より突出し、前後方向にスライド可能である。
【００４８】
２．２  クリップ
クリップ４２は、クリップベース４３と、スライダー４３ａと、円筒部４３ｄと、クリップベース４３と円筒部４３ｄを連結する連結部４３ｃと、を備える。（図８を参照）円筒部４３ｄは、軸筒２の内部に位置する。円筒部４３ｄの前端には、カム突起４３ｅが設けられる。円筒部４３ｄのカム突起４３ｅは、回転部材３の突条３１の後端部と噛み合う。なお、回転部材３は、円筒部４３ｄに回転可能に結合されてもよい。また、本実施形態におけるクリップ４２はノック部材４として一体の構造となっているが、クリップ４２は円筒部４３ｄと別体であっても構わない。
【００４９】
２．３  摩擦体
摩擦体７は、摩擦部と、摩擦部の前方に一体に連設される挿着部とからなり、弾性材料により一体に形成される。摩擦体７は、外周面に外向突起を形成し、取付孔２４ｂ内に係止される。
【００５０】
本実施の形態では、摩擦体７は、熱変色性の筆跡の表面を擦って筆跡を熱変色させる摩擦変色部材が採用される。摩擦体７の外面は、横断面非円形状を有する。なお、当然のことながら、横断面非円形状は図示した形状に限定されず、例えば、三角形状、四角形状、六角形状等、その他の多角形であってもよい。これにより、摩擦体の適切な部分を使用して、熱変色性インキによる筆跡を使用者が意図した部分のみ擦過することができ、必要以上に熱変色させてしまうことを防ぐことができる。
【００５１】
本実施の形態において、摩擦体７を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。摩擦体７を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００５２】
摩擦部の後面は凸曲面状を有する。摩擦部の前端には、取付孔２４ｂの開口端（具体的には後軸２４の後端）に当接可能な肩部が形成される。摩擦部の最大外径は、取付孔２４ｂの内径よりも大きく且つ後軸２４の後端の外径よりも小さく設定される。
【００５３】
摩擦体７の内部には、軸方向に延びる内孔が形成される。内孔の前端は軸方向前方に開口される。内孔の後端は摩擦部内部に位置している。内孔により、摩擦体７は、後端が閉鎖され且つ前端が開口された有底円筒状に形成される。
【００５４】
２．４  軸筒
軸筒２の側壁（例えば中間軸２３の側壁及び後軸２４の側壁）には、軸方向に延びるスライド孔２０が形成される。軸筒２の後端（即ち後軸２４の後端）には、取付孔２４ｂが軸方向に貫設される。取付孔２４ｂに弾性材料からなる摩擦体７が圧入嵌合される。摩擦体７は、クリップ４２の軸方向の移動に連動せず、後軸２４の後端外面に固定される。摩擦体７は、クリップ４２と独立して設けられる。また、本発明の軸筒は、筆記具のキャップ等の筒状体であってもよく、また、クリップ４２が摩擦体の材料で形成されていてもよい。
【００５５】
前述の通り、本実施形態のクリップ４２は、軸筒２の側面に設けられたスライド孔２０（第１の長孔２３ｅ及び第２の長孔２４ａ）より突出し、前後方向にスライド可能である。スライド孔２０は、連結部４３ｃが自在に前後移動できるよう連結部４３ｃに対して十分な広さの幅を有している。そのため、スライド孔２０の位置と径方向に略一致する位置に設けられたカム溝２３ｂの幅（カム溝幅Ｂ）は、他のカム溝２３ｂの幅（カム溝幅Ａ）よりも広くなっている。（図９Ｂ）
【００５６】
その結果、当該箇所において、隣り合うカム歯２３ａ同士の間隔が広いため、回転部材３が回転した際に、突条３１がカム歯２３ａを確実に乗り越えることが困難になる場合があり、ノック操作における作動不良が発生するおそれがある。（図９Ａ、図９Ｂ）特に、この状態は、カム歯２３ａの形状が成形不良などにより、不均一になった場合に発生する可能性がある。
【００５７】
そのため、本発明の出没式筆記具は、隣り合うカム歯２３ａ同士の間隔が広い状態（図９Ｂ）であったとしても、ノック操作における作動不良が発生しないよう、そもそも乗り越える必要があるカム歯２３ａ自体を一部無くす、つまり、前記カム歯２３ａの数を前記突条３１の数よりも少なくした。
【００５８】
２．５  カム歯を一部無くすことの技術的効果
隣り合うカム歯２３ａ同士の間隔が広い状態（図９Ｂ）であったとしても、そもそも乗り越える必要があるカム歯２３ａ自体を一部無くす、つまり、前記カム歯２３ａの数を前記突条３１の数よりも少なくすることで、ノック操作における作動不良が発生することを防ぐことができる。
【００５９】
カム歯２３ａ自体を一部無くす、つまり、前記カム歯２３ａの数を前記突条３１の数よりも少なくする、より好ましい形態については、第１実施形態と同じであるため、その説明は省略する。
【符号の説明】
【００６０】
１  出没式筆記具
２  軸筒
２０  スライド孔
２１  口金
２１ａ  前端孔
２２  前軸
２２ａ  グリップ
２３  中間軸
２３ａ  カム歯
２３ｂ  カム溝
２３ｅ  第１の長孔
２３ｆ  ガイド溝
２３ｇ  第１の斜面
２３ｈ  第２の斜面
２３ｉ  不適切形状部
２３ｊ  非機能部
２４  後軸
２４ａ  第２の長孔
２４ｂ  取付孔
３  回転部材
３１  突条
４  ノック部材
４１  カム部材
４２  クリップ
４３  クリップベース
４３ａ  スライダー
４３ｂ  係合突起
４３ｃ  連結部
４３ｄ  円筒部
４３ｅ  カム突起
５  弾発体
６  筆記体
６１  ペン先
６２  インキ収容管
６３  インキ
６３ａ  熱変色性インキ
６４  追従体
６５  尾栓
７  摩擦体
Ａ  カム溝幅Ａ
Ｂ  カム溝幅Ｂ
【図１】
2020163820.tif 000003
【図２】
2020163820.tif 000004
【図３】
2020163820.tif 000005
【図４】
2020163820.tif 000006
【図５】
2020163820.tif 000007
【図６】
2020163820.tif 000008
【図７】
2020163820.tif 000009
【図８】
2020163820.tif 000010
【図９】
2020163820.tif 000011